(57)【要約】      （修正有）【課題】デュアルインターフェイス対応のメモリーカードの改良構造に関し、ＵＳＢ接続ポートの差込み口の規格・寸法に一致するメモリーカードの改良構造である。【解決手段】デュアルインターフェイスに対応するメモリーカードの改良構造は、ＵＳＢ及びメモリーカードインターフェイスなどのデュアルインターフェイスに対応する情報読み込みメモリーカードで、ＵＳＢの規格・寸法に準拠し、メモリーカード１にあらかじめ移動可能なスライダー２を備え、台座１０をメモリーカード１内に収納すると当該メモリーカード１のカバーとなり、台座１０をメモリーカード１の外側に押し出すと、ＵＳＢ接続ポートの差込み口の規格・寸法に一致するメモリーカード１の改良構造である。【選択図】図４
0003136539.tif 000002
【実用新案登録請求の範囲】
【請求項１】
デュアルインターフェイス対応のメモリーカードの改良構造であって、メモリーカードインターフェイス及びＵＳＢなどデュアルインターフェイスに対応する情報読み込みメモリーカードと、ＵＳＢ寸法規格のスライダーとを備え、前記メモリーカードの上に移動可能な台座を予め配設し、前記スライダーをメモリーカードに装着することで、メモリーカードの外見の輪郭を形成し、スライダーをメモリーカードの外側に押し出すことで、ＵＳＢ接続ポートの差込規格寸法に一致するようにしたことを特徴とするデュアルインターフェイス対応のメモリーカードの改良構造。
【請求項２】
台座とメモリーカードの間において、ＵＳＢを前記台座上でデータ伝送のＩ／Ｏポートとすることができることを特徴とする請求項１に記載のデュアルインターフェイス対応のメモリーカードの改良構造。
【請求項３】
ＵＳＢがメモリーカードの外側に露出し、ＵＳＢをデータ伝送のＩ／Ｏポートとすることができることを特徴とする請求項１に記載のデュアルインターフェイス対応のメモリーカードの改良構造。
【請求項４】
スライダーがコの字型を呈していることを特徴とする請求項１に記載のデュアルインターフェイス対応のメモリーカードの改良構造。
【請求項５】
配線板を台座として使うことを特徴とする請求項１に記載のデュアルインターフェイス対応のメモリーカードの改良構造。
【請求項６】
メモリーカードにスライダーの位置を決めるプッシュロックを搭載していることを特徴とする請求項１に記載のデュアルインターフェイス対応のメモリーカードの改良構造。
【請求項７】
プッシュロックの先にライナーロックがついていることを特徴とする請求項６に記載のデュアルインターフェイス対応のメモリーカードの改良構造。
【考案の詳細な説明】
【技術分野】
【０００１】
本考案は、デュアルインターフェイス対応のメモリーカードの改良構造に関し、特に、情報の保存・読み込みを行うと同時に、多種多様なインターフェイスに対応することのできるメモリーカードを備えたデュアルインターフェイス対応のメモリーカードの改良構造に関するものである。
【背景技術】
【０００２】
メモリーカード・携帯型ＵＳＢメモリーなどのデジタル記憶装置は、多くのパソコンユーザーにとり必需品となっている。従来のフロッピーディスクに対し、メモリーカード・携帯型ＵＳＢメモリーは、体積が小さいわりにキャパシティ（容量）がフロッピーディスクの何倍もあり、情報を取り込む速度もフロッピーディスクに比べて速い。さらにメモリーカード・携帯型ＵＳＢメモリーという記憶装置は、フロッピーディスクのように潤湿若しくは毀損しにくく、スピーディーに情報を読み込んだり書き込んだりすることができることから、今日ではパソコン及びその周辺機器において必要不可欠なオプションである。
【０００３】
携帯型ＵＳＢメモリーは、情報の伝送インターフェイスはＵＳＢを通して行われる。現在のＵＳＢは一般的なパソコン及び周辺機器の基本装備であり、いつでもどこでも手軽に使えるという機能性と、多数のオペレーティングシステム（ＯＳ）においてドライブのインストールが必要ないという点でも、抜き挿しがし易いばかりか、パソコンユーザーにとっても迅速かつ操作が簡単で低価格という面でメリットがある。
【０００４】
一方、携帯型ＵＳＢメモリーは、それぞれの機種のデジタル周辺機器において、メモリーカードの使用につき、特定の制限が設定されているのが現状である。そのため、メモリーカードは、デジタルカメラ・ポータブルプレイヤー・ＭＰ３・ＰＤＡ・携帯電話機など各種の型番やブランドのデジタル製品に合うように、ＳＭカード・ＳＤカード・ＭＭカード・ＭＳＤカード・ミニＳＤカード・メモリースティックカード・ＣＦカード・ＸＤカードなど、それぞれ異なる規格若しくは形態で製造されている。各メモリーカードは、規格・寸法がそれぞれ違い、それぞれのメモリーカードはそれに対応するコネクタとしか互換性を持たないため、規格・寸法が異なればお互いに利用するということもできない。  
【０００５】
したがって、メモリーカードを購入する際、規格が違うために使えないということが発生する。
【０００６】
そこで、関連業者が、情報を読み取ることのできる記憶装置でＵＳＢ及びメモリーカードインターフェイス（当該メモリーカードインターフェイスの規格はＳＤカード、ＣＦカードなどを採用）を搭載する記憶装置の構造を考案した。  
【０００７】
この構造によりデュアルインターフェイス対応のデータ伝送が行えるようになったものの、依然として次の欠点の改善が待たれる。
【０００８】
・  メモリーカードの厚みとＵＳＢの厚みが一致しないため、段差が生じてしまう。メモリーカードコネクターに差し込もうとすると、メモリーカードコネクター内に設置されている導電端子に引っかかり、内部に組み込まれている端子の変形をもたらしてしまうため、カードを差込んだ時の正確性や安定性に大きく影響を及ぼしている。
・  従来のデュアルインターフェイス構造のメモリーカードは、ＵＳＢ上のＩ／Ｏポートがメモリーカードの外側に露出しており、デジタル周辺機器からメモリーカードを挿入・抜出する時に、取扱者の手がＩ／Ｏポートに触れてしまうため、Ｉ／Ｏポートに錆による侵蝕をもたらしてしまい、情報伝送に影響を及ぼしてしまう。
【０００９】
これら従来の構造上の欠点を見直すべく、本願出願人はこれら課題を解決すべく本考案を開発するに至った。
【考案の開示】
【考案が解決しようとする課題】
【００１０】
本考案の主な目的は、ＵＳＢ及びメモリーカードインターフェイスなどのデュアルインターフェイスの規格・寸法に対応する情報を読み込み、メモリーカードの標準的な厚み及び外観に影響を及ぼさないメモリーカードを作り出すことにある。
【００１１】
本考案のもう一つの目的は、メモリーカードを使用する際にＵＳＢにできるだけ取扱者の手が接触せず、汗や水分がつくことで酸化し錆による侵蝕を回避することができるインターフェイスを作り出すことである。
【課題を解決するための手段】
【００１２】
本考案の請求項１に係るデュアルインターフェイス対応のメモリーカードの改良構造は、メモリーカードインターフェイス及びＵＳＢなどデュアルインターフェイスに対応する情報読み込みメモリーカードと、ＵＳＢ寸法規格のスライダーとを備え、前記メモリーカードの上に移動可能な台座を予め配設し、前記スライダーをメモリーカードに装着することで、メモリーカードの外見の輪郭を形成し、スライダーをメモリーカードの外側に押し出すことで、ＵＳＢ接続ポートの差込規格寸法に一致するようにしたことを特徴とする。
【００１３】
請求項２に係る考案は、請求項１に記載のデュアルインターフェイス対応のメモリーカードの改良構造において、台座とメモリーカードの間において、ＵＳＢを前記台座上でデータ伝送のＩ／Ｏポートとすることができることを特徴とする。
【００１４】
請求項３に係る考案は、請求項１に記載のデュアルインターフェイス対応のメモリーカードの改良構造において、ＵＳＢがメモリーカードの外側に露出し、ＵＳＢをデータ伝送のＩ／Ｏポートとすることができることを特徴とする。
【００１５】
請求項４に係る考案は、請求項１に記載のデュアルインターフェイス対応のメモリーカードの改良構造において、スライダーがコの字型を呈していることを特徴とする。
【００１６】
請求項５に係る考案は、請求項１に記載のデュアルインターフェイス対応のメモリーカードの改良構造において、配線板を台座として使うことを特徴とする。
【００１７】
請求項６に係る考案は、請求項１に記載のデュアルインターフェイス対応のメモリーカードの改良構造において、メモリーカードにスライダーの位置を決めるプッシュロックを搭載していることを特徴とする。
【００１８】
請求項７に係る考案は、請求項６に記載のデュアルインターフェイス対応のメモリーカードの改良構造において、プッシュロックの先にライナーロックがついていることを特徴とする。
【考案の効果】
【００１９】
本考案であるデュアルインターフェイスを接続するメモリーカードの改良構造により、規格の違う２つのインターフェイスを接続することができ、Ｉ／Ｏポートに取扱者の手が触れることにより発生する錆の侵蝕を回避することができ、産業上の利用可能性は多大である。
【考案を実施するための最良の形態】
【００２０】
以下、本考案の実施例について図面と共に説明する。図１〜図６は本考案に係る第１実施例を示す具体的な構造図である。
【実施例１】
【００２１】
図１に示すように、本考案は情報を読み込むことができるメモリーカード１を主体としている。メモリーカード１上にはデータを伝送するためのメモリーカードインターフェイス及びＵＳＢ若しくはＩＥＥＥ（米国電気電子学会）１３９４に準拠したインターフェイスなどを搭載している。
【００２２】
本考案の第１実施例は、Secure Digital Card（以下、「ＳＤカード」という）の寸法・外観と一致して形成してある。前記メモリーカード１内には記憶モジュールを設置する場所として台座１０をあらかじめ形成している。配線板を台座１０にすることもできる。台座１０の一端には外部からの情報をデータとして読み込むことができるメモリーカードインターフェイス１１があり、他端にはスライダー２が装着されて電気信号を接続するＩ／Ｏポート１３（図２を参照）が突起部分として設置している。また、メモリーカード１上の反対側のメモリーカードインターフェイス１１の他端にはスライダー２を収納できるスロット１２がある。そのうち、スライダー１２はメモリーカード１の左右両側（図７を参照）若しくは中央に設置することができる。そして、これら構造的な位置の変化はすべて本考案の技術範囲に含まれるものである。
【００２３】
スライダー２はコの字型を呈した中空のブロック体で、一つの側面にはＵＳＢのインターフェイス規格に適合したＩ／Ｏポート２１がついている。スライダー２には外観寸法・厚みともにＵＳＢ規格に準拠したＵＳＢの基板が備え付けられている。スライダー２のコの字型の中央のへこみ部分２３にはメモリーカード１の台座１０を収納することができる。へこみ部分２３の中には上述の台座１０のＩ／Ｏポート１３と電気信号を接続する伝送インターフェイス２２を設置されている。
【００２４】
本考案の最大の特長は、メモリーカード１の上にあるスロット１２の深さがちょうどスライダー２の厚みと同じであるため、スライダー２をメモリーカード１のなかのスロット１２に収納すると、外観・寸法ともに当該メモリーカードの外側の輪郭（図３・図４を参照）にぴったり一致する点である。スライダー２に備え付けられているＵＳＢの基板の厚みはＵＳＢの寸法・厚みともぴたり合うことから、２種類のインターフェイスの厚みの違いによる段差発生という欠点を有効的に解決できるのである。
【００２５】
本考案のスライダー２には、そのへこみ部分２３に空間が作られており、この配設空間を使ってメモリーカード１上部に形成された台座１０と協働してスライダー２が前後に動かせるようになる（図５・図６を参照）。このほか、スライダー２の上にはＵＳＢのインターフェイス規格に準拠したＩ／Ｏポート２１があり、スライダー２をメモリーカード１の上に配設したときに、メモリーカード１とスライダー２の間に設置され、Ｉ／Ｏポート２１を使わないときは、メモリーカード１とスライダー２の間に収納できるため、取扱者の手が触れることで発生する錆を少なくすることができる。さらに、スライダー２の上にあるＩ／Ｏポート２１はスライダー２の伝送インターフェイス２２とメモリーカード１のＩ／Ｏポート１３を使って電気信号を接続するため、スライダー２がメモリーカード１のスロット１２を押し出したとき、スライダー２の上にある伝送インターフェイス２２がスロット１２の中のＩ／Ｏポート１３に当たり、スライダー２の上にあるＩ／Ｏポート２１が導通状態になる。これに対し、スライダー２をメモリーカード１の中に収納すると、スライダー２の上にある伝送インターフェイス２２とメモリーカード１のＩ／Ｏポート１３が接触しないため、スライダー２の上にあるＩ／Ｏポート２１が使えなくなるのである。
【実施例２】
【００２６】
図７は本考案に係る第２実施例の具体的な構造図である。この第２実施例と第１実施例の違う点は、スロット１２の取り付け位置がメモリーカード１の側方にあることである。スロット１２の中にあるＵＳＢ規格に準拠したスライダー２をメモリーカード１の側方に設置できるため、ユーザーが装置の需要に応じて別の種類の接続が可能になる。
【実施例３】
【００２７】
図８は本考案に係る第３実施例の具体的な構造図である。この第３実施例と第１実施例の違う点は、スライダー２の上にあるＵＳＢのインターフェイス規格のＩ／Ｏポート２１がもう一方の側面に取り付けられている点である。スライダー２の上にあるＵＳＢをスライダー２のメモリーカード１の上に取り付けると、外側に露出した状態を呈するため、特別な需要に対応することができる。この実施例の取り付け構造・使用時の状態はすべて上述の実施例と同じであるため、ここで重複した記述は省略する。
【実施例４】
【００２８】
図９は本考案に係る第４実施例の具体的な構造図である。この第４実施例と第１実施例の違う点は、メモリーカード１の記憶モジュールを設置する台座１０を硬い素材とやわらかい素材を混ぜて使った配線板としている点である。メモリーカード１の内側から外側に向って設置されているスロット１２の底部にこの配線板を設置し（図１０を参照）、スロット１２の両側のへこんだ部分にリニアガイド１２１を設け、メモリーカード１の底部にプッシュロック３を設置し、そのプッシュロック３から外側に向ってロックライナー３１が延びている。スライダー２の両側には外向きに突起部分２４があり、これによりメモリーカード１のロックライナー３１が動かせるようにリニアガイド１２１が設けてある。スライダー２はメモリーカード１に対してプッシュロック３のところにへこみ部分３１があり、スライダー２を押し出すと、ロックライナー３１でカードを確実な位置にロックする仕組みになっている（図１１、図１２を参照）。この実施例の取り付け構造・使用時の状態はすべて上述の実施例と同じであるため、ここで重複した記述は省略する。
【００２９】
このように、本考案であるデュアルインターフェイスを接続するメモリーカードの構造を改良するにより、規格の違う２つのインターフェイスを接続することができ、Ｉ／Ｏポートに取扱者の手が触れることにより発生する錆の侵蝕を回避することができ、産業上の利用可能性は多大である。この情報は公開されていないため、実用新案登録出願をするものである。
【００３０】
ただ、上述の記述は本考案の実施例であり、本考案の権利範囲に限定するものではない。本案件に係る考案のための均等変化・修飾はすべて実用新案登録請求の範囲に含まれる。
【図面の簡単な説明】
【００３１】
【図１】本考案に係る第１実施例の構造図である。
【図２】本考案に係る第１実施例の内部詳細図である。
【図３】本考案に係る第１実施例の内部詳細図である。
【図４】図３の切開図である。
【図５】本考案に係る第１実施例の使用図である。
【図６】図５の切開図である。
【図７】本考案に係る第２実施例の構造図である。
【図８】本考案に係る第３実施例の構造図である。
【図９】本考案に係る第４実施例の構造図である。
【図１０】本考案に係る第４実施例のメモリーカードの切開図である。
【図１１】本考案に係る第４実施例の使用図である。
【図１２】本考案に係る第４実施例の使用図である。
【符号の説明】
【００３２】
１        メモリーカード
１０      台座
１１      メモリーカードインターフェイス
１２      スロット  
１２１    リニアガイド
１３      Ｉ／Ｏポート
２        スライダー
２１      Ｉ／Ｏポート
２２      伝送インターフェイス
２３      へこみ部分
２４      突起部分
２５      へこみ部分
３        プッシュロック
３１      ライナーロック
【図１】
0003136539.tif 000003
【図２】
0003136539.tif 000004
【図３】
0003136539.tif 000005
【図４】
0003136539.tif 000006
【図５】
0003136539.tif 000007
【図６】
0003136539.tif 000008
【図７】
0003136539.tif 000009
【図８】
0003136539.tif 000010
【図９】
0003136539.tif 000011
【図１０】
0003136539.tif 000012
【図１１】
0003136539.tif 000013
【図１２】
0003136539.tif 000014